(57)【特許請求の範囲】
【請求項１】
内部に回路基板が収納される上面が開口された有底の箱状基体と、その上面に特定方向からのみスライドさせてはめ込むことができる蓋体とからなるパチンコ機の基板収納ボックスであって、
箱状基体のスライド方向の先端と後端に水平な係合爪を設け、蓋体のスライド方向の先端と後端には係合爪が嵌る係合爪受部を設けたうえに、
この蓋体の側方に上面が覆われた複数の錠止穴を形成して、この錠止穴の上面を接続片により蓋体と一体化された錠止穴カバーにより覆うとともに、箱状基体には複数の錠止ピン収納穴を形成し、何れかの錠止ピン収納穴の内部に、蓋体が箱状基体にスライドさせてはめ込まれたとき、弾性手段により弾発されて蓋体の錠止穴に下側から嵌まり込む錠止ピンを収納したことを特徴とするパチンコ機の基板収納ボックス。
【発明の詳細な説明】
【０００１】
【発明の属する技術分野】
本発明は、パチンコ機のＲＯＭを備えた回路基板を収納するためのパチンコ機の基板収納ボックスに関するものである。
【０００２】
【従来の技術】
パチンコ機の入賞率を決定するプログラムはＲＯＭに書き込まれているため、正規のＲＯＭを改造されたＲＯＭに不正に交換して不当な出玉を得る事件が発生している。このため、最近ではＲＯＭを含む回路基板をボックス内に収納し、このボックスの蓋体を破壊しなければＲＯＭの交換ができないようにする工夫が行なわれ、既に多数の特許が出願されている。ところが、従来の基板収納ボックスの多くは蓋体が不正に開かれることを防止するだけのものであったため、基板の取付けネジを裏面から破壊し、蓋体を開くことなく内部のＲＯＭを交換するという新しい手口に対しては効果的ではないことが判明した。
【０００３】
【発明が解決しようとする課題】
本発明は上記した従来の問題点を解決して、蓋体が不正に開かれた場合にはその痕跡が蓋体に残るようにし、また裏面から取付けネジを破壊しても内部のＲＯＭを交換することはできず、しかもメーカーからの出荷後に行なわれる警察による検査が終了した後、再度封印ロックすることができるようにしたパチンコ機の基板収納ボックスを提供するためになされたものである。
【０００４】
【課題を解決するための手段】
上記の課題を解決するためになされた本発明は、内部に回路基板が収納される上面が開口された有底の箱状基体と、その上面に特定方向からのみスライドさせてはめ込むことができる蓋体とからなるパチンコ機の基板収納ボックスであって、
箱状基体のスライド方向の先端と後端に水平な係合爪を設け、蓋体のスライド方向の先端と後端には係合爪が嵌る係合爪受部を設けたうえに、
この蓋体の側方に上面が覆われた複数の錠止穴を形成して、この錠止穴の上面を接続片により蓋体と一体化された錠止穴カバーにより覆うとともに、箱状基体には複数の錠止ピン収納穴を形成し、何れかの錠止ピン収納穴の内部に、蓋体が箱状基体にスライドさせてはめ込まれたとき、弾性手段により弾発されて蓋体の錠止穴に下側から嵌まり込む錠止ピンを収納したことを特徴とするものである。
【０００５】
この発明によれば、蓋体を箱状基体に特定の横方向からスライドさせてはめ込んだときに、箱状基体の錠止ピン収納穴に収納されている錠止ピンが弾性手段により弾発されて蓋体の錠止穴に下側から嵌まり、その後は逆方向にスライドさせて蓋体を開くことができなくなる。このため、蓋体の錠止穴の表面を破壊しなければ蓋体を開くことができない。しかもこの箱状基体は有底であり、回路基板を箱状基体に取付けている取付けネジを盤の裏面から破壊しても蓋体を開かない限りはＲＯＭの交換はできない。
【０００６】
【発明の実施の形態】
以下に本発明の好ましい実施の形態を示す。
図１は本発明の基板収納ボックスの全体を示す分解斜視図、図２は全体組立図、図３は図２の各部の断面図である。これらの図に示されているように、この基板収納ボックスはプラスチック製の箱状基体１とプラスチック製の蓋体２とからなる。箱状基体１は有底で上面が開口された形状であり、図示しない適宜の取付け手段により盤に取り付けられている。また箱状基体１の底部にはボス３が設けられており、ＲＯＭが搭載された回路基板４がこのボス３の上面に取付けネジ５により固定され、箱状基体１の内部に収納されている。
【０００７】
蓋体２は箱状基体１に対して、図１や図３中に矢印で示す特定方向からスライドさせてはめ込むことができるように、次の通りの構成となっている。まず図１や図４に示すように、箱状基体１の一方の端面には垂直壁６が開口縁を越えて突設されており、その上端には複数の係合爪７が水平内向きに形成されている。一方、蓋体２のスライド方向の先端部には、図３や図５に示すように表面より断面Ｌ字状に落ち込ませた係合爪受部８が複数個形成されており、蓋体２を箱状基体１に特定方向からスライドさせてはめ込むと、箱状基体１の係合爪７が蓋体２の係合爪受部８に嵌まり、持ち上げることができないようになっている。
【０００８】
また箱状基体１の他端（スライド方向の後端）には中空部９が一体に形成されており、その両端部は上面を残して切り落とされ、水平な係合爪１０となっている。一方、蓋体２の対応する両端部にも表面より断面Ｌ字状に落ち込ませた係合爪受部１１が形成されており、蓋体２を箱状基体１に特定方向からスライドさせると、箱状基体１の係合爪１０が蓋体２の係合爪受部１１に嵌まるようになっている。従って、蓋体２の着脱は矢印方向からのみ可能である。
【０００９】
箱状基体１に対する蓋体２のロック構造は次の通りである。
まず蓋体２の係合爪受部１１、１１間には、複数の錠止穴１２が形成されている。これらの錠止穴１２は図３に示されるように下面が開口された円筒状のもので、その上面は細い接続片１３により蓋体２と一体化された錠止穴カバー１７により覆われている。この実施形態では錠止穴１２は４個であるが、その数は適宜設定することができる。
【００１０】
一方、箱状基体１の中空部９には図１や図３に示されるように、蓋体２の複数の錠止穴１２に対応させて複数の錠止ピン収納穴１４が形成されている。錠止ピン収納穴１４は上面が開口した有底円筒状のもので、その上面は蓋体２が箱状基体１にはめ込まれたときに蓋体２の錠止穴１２の下面と一致する高さとなっている。そしてこれらの複数の錠止ピン収納穴１４のいずれかに、錠止ピン１５が収納されている。
【００１１】
錠止ピン１５は円柱状又は円筒状のものであって、その下面にバネ等の弾性手段１６を備えている。このため、図６に示すように蓋体２を箱状基体１に対してスライドさせてはめ込み、蓋体２の錠止穴１２が錠止ピン収納穴１４と一致すると、図３に示すように錠止ピン１５が弾性手段１６により弾発されて蓋体２の錠止穴１２に下側から嵌まり込み、その後は蓋体２をスライドさせることができないようにロックする。このロックを外すためには接続片１３を切断して錠止穴カバー１７を取り除き、錠止ピン１５を抜き取ってから蓋体２をスライドさせなければならない。
【００１２】
上記した構造の本発明の基板収納ボックスは、第１の錠止ピン収納穴１４に錠止ピン１５を収納し、蓋体２を上記の通りロックさせた状態でメーカーから出荷される。そしてその後に警察により行われる検査の際には、第１の錠止ピン収納穴１４に対応する蓋体２の錠止穴カバー１７を破壊して取り除き、錠止ピン１５を抜き取ってから蓋体２をスライドさせて蓋体２を開く。そして検査後には第１の錠止ピン収納穴１４から第２の錠止ピン収納穴１４に錠止ピン１５と弾性手段１６を移し替え、蓋体２をスライドさせて箱状基体１にはめ込む。この結果、蓋体２は再びロックされる。なお検査が複数回行われる場合には、上記の操作を繰り返せばよい。
【００１３】
このように本発明の基板収納ボックスは、蓋体２を箱状基体１に対して直接ロックした構造であるため、盤の裏面から回路基板４の取付けネジ５を破壊しても蓋体２を開くことはできず、錠止穴カバー１７を破壊しなければ内部のＲＯＭを交換することはできない。また仮に錠止穴カバー１７を不正に破壊するとその痕跡が蓋体２に明確に現れるため、事件の発生を知ることができる。
【００１４】
なおこの実施形態では、図２に示すように蓋体２の片側の２ヵ所に、基板取付けネジ掩蔽部１８を突設されている。これは必須のものではないが、この実施形態では回路基板４の取付けネジ５が蓋体２より側方に出た位置にあるため、その上面を基板取付けネジ掩蔽部１８により覆って外部からの取付けネジ５の操作を二重に防止したものである。
【００１５】
【発明の効果】
以上に説明したように、本発明の基板収納ボックスは蓋体が不正に開かれた場合にはその痕跡が蓋体に残り、盤の裏面から回路基板の取付けネジを破壊しても内部のＲＯＭを交換することはできず、しかもメーカーからの出荷後に行なわれる警察による検査が終了した後、再度ロックすることができるものである。しかも蓋体をスライドさせて取り外せば箱状基体の全面を開口させることができ、その内部への回路基板の取付けが容易であるうえ、錠止ピンで蓋体の特定方向への移動のみを防止すればよいため、ロック機構を簡素化することができる。さらにボックスの表面には全く突起物がなく、配線を誤って引っかけたりするおそれもない等の多くの利点を有する。
【図面の簡単な説明】
【図１】本発明の基板収納ボックスの全体を示す分解斜視図である。
【図２】本発明の基板収納ボックスの組立図であり、(a) は平面図、(b) は正面図、(c) は右側面図、(d) は左側面図である。
【図３】図２(a) に示された各部の断面図である。
【図４】(a) は箱状基体の平面図、(b) は正面図である。
【図５】(a) は蓋体の平面図、(b) は正面図である。
【図６】蓋体を箱状基体にはめ込む工程を示す図であり、(a) は蓋体を降ろす工程、(b) はスライドさせる工程を示す。
【符号の説明】
１  箱状基体
２  蓋体
３  ボス
４  ＲＯＭが搭載された回路基板
５  取付けネジ
６  垂直壁
７  係合爪
８  係合爪受部
９  中空部
１０  係合爪
１１  係合爪受部
１２  錠止穴
１３  接続片
１４  錠止ピン収納穴
１５  錠止ピン
１６  弾性手段
１７  錠止穴カバー
１８  基板取付けネジ掩蔽部
【図１】
0004070160.tif 000002
【図２】
0004070160.tif 000003
【図３】
0004070160.tif 000004
【図４】
0004070160.tif 000005
【図５】
0004070160.tif 000006
【図６】
0004070160.tif 000007